(57)【特許請求の範囲】
【請求項１】
複数のデータと、ユーザの操作に対応して、前記複数のデータに含まれているデータを指し示すフォーカス情報と、が表された一覧画面情報を出力する第１の出力ステップと、
前記フォーカス情報で指し示された前記データに関連する他のデータの一覧を表示させる選択を受け付ける第１の受付ステップと、
前記第１の受付ステップが選択を受け付けた場合に、前記フォーカス情報で指し示される前記データと、当該データと異なる他のデータ群と、の間で、データの内容の類似性に基づいた関連度を算出する第１の算出ステップと、
前記フォーカス情報で指し示される前記データと、前記第１の算出ステップで算出された前記関連度に基づいて配置された他のデータ群と、が表された第１の関連データ一覧画面情報を出力する第２の出力ステップと、
データを分類するカテゴリを切り替えるために１つのみ設けられた所定のボタンの押下を受け付ける毎に、当該カテゴリの切り替えとして受け付ける第２の受付ステップと、
前記第２の受付ステップにより切り替えられたカテゴリに分類されるデータ群と、前記フォーカス情報で指し示される前記データとの間で、データの内容の類似性に基づいた関連度を算出する第２の算出ステップと、
前記フォーカス情報で指し示される前記データを示す表示情報の位置から、前記関連度に基づいて、前記切り替えられた後のカテゴリに分類される前記データを示す表示情報を配置した第２の関連データ一覧画面情報を出力する第３の出力ステップと、
を含むことを特徴とするデータ処理方法。
【請求項２】
前記第３の出力ステップで出力された前記第２の関連データ一覧画面情報に前記表示情報が示されている前記データの選択を受け付ける関連データ受付ステップと、
前記関連データ受付ステップにより選択を受け付けた前記データに対する処理を行う処理ステップと、
をさらに備える請求項１に記載のデータ処理方法。
【請求項３】
前記第２の出力ステップは、前記フォーカス情報で指し示される前記データを示す表示情報の位置から、前記第１の算出ステップで算出された前記関連度に基づいて、前記他のデータを示す表示情報を配置した第１の関連データ一覧画面情報を出力する、
請求項１又は２に記載のデータ処理方法。
【請求項４】
前記フォーカス情報で指し示される前記データを示す表示情報の位置から、前記関連度に基づいて、前記切り替えられた後のカテゴリに分類される前記データを示す表示情報を配置した第２の関連データ一覧画面情報を生成する生成手段をさらに備え、
前記第３の出力ステップは、前記生成手段により生成された前記第２の関連データ一覧画面情報を出力する、
請求項１乃至３のいずれか一つに記載のデータ処理方法。
【発明の詳細な説明】
【技術分野】
【０００１】
本発明は、データ処理方法に関する。
【背景技術】
【０００２】
近年、ＡＶ機器のコンテンツ（映像音声データ）保存能力の拡大や機器内に留まらない機器間又はネットワーク上に存在するコンテンツとのシームレス性の拡大などにより、ユーザがアクセス可能なコンテンツ数は急速に増加してきている。そして、このようなコンテンツを選択視聴するための受信装置が開示されている。
【０００３】
また、特許文献１では、受信装置において、キーの押下により、表示されるコンテンツのジャンルを切り替える技術が記載されている。この特許文献１に記載された技術では、キー毎に、ジャンルが割り当てられているため、キーの押下により、容易にジャンルの切替を可能としている。
【先行技術文献】
【特許文献】
【０００４】
【特許文献１】特開２００４−３２６２４号公報
【発明の概要】
【発明が解決しようとする課題】
【０００５】
ところで、デジタルテレビジョン受信装置を含むＡＶ機器などでは、様々なコンテンツの閲覧が可能となっている。例えば、既にＨＤＤ（Hard  Disk  Drive）等の記憶媒体に保存されたコンテンツや、デジタル放送されているコンテンツなどがある。また、提供されている電子番組情報(ＥＰＧ：Electronic  Program  Guide)上により、将来放送する予定のコンテンツの確認も可能となっている。
【０００６】
そして、ＨＤＤに記録済みのコンテンツや、電子番組情報で放送予定のコンテンツなどコンテンツの数が多い場合、引用文献１に記載された技術を用いて、ＨＤＤに記録済みや、電子番組情報に搭載されている、などのカテゴリ毎にコンテンツを分類しても、カテゴリ毎でもコンテンツの数が多いため、ユーザが所望するコンテンツを特定するのが難しい。さらに、ＡＶ機器においては、主にリモートコントローラで操作を行う以上、簡単な操作でユーザの所望コンテンツを容易に特定できる仕組みが望まれている。
【０００７】
本発明は、上記に鑑みてなされたものであって、容易な操作で、ユーザの所望するコンテンツを特定できるデータ処理方法を提供することを目的とする。
【課題を解決するための手段】
【０００８】
上述した課題を解決し、目的を達成するために、本発明にかかるデータ処理方法は、第１の出力ステップと、第１の受付ステップと、第１の算出ステップと、第２の出力ステップと、第２の受付ステップと、第２の算出ステップと、第３の出力ステップを含む。第１の出力ステップは、複数のデータと、ユーザの操作に対応して、複数のデータに含まれているデータを指し示すフォーカス情報と、が表された一覧画面情報を出力する。第１の受付ステップは、フォーカス情報で指し示されたデータに関連する他のデータの一覧を表示させる選択を受け付ける。第１の算出ステップは、第１の受付ステップが選択を受け付けた場合に、フォーカス情報で指し示されるデータと、当該データと異なる他のデータ群と、の間で、データの内容の類似性に基づいた関連度を算出する。第２の出力ステップは、フォーカス情報で指し示されるデータと、第１の算出ステップで算出された関連度に基づいて配置された他のデータ群と、が表された第１の関連データ一覧画面情報を出力する。第２の受付ステップは、データを分類するカテゴリを切り替えるために１つのみ設けられた所定のボタンの押下を受け付ける毎に、当該カテゴリの切り替えとして受け付ける。第２の算出ステップは、第２の受付ステップにより切り替えられたカテゴリに分類されるデータ群と、フォーカス情報で指し示されるデータとの間で、データの内容の類似性に基づいた関連度を算出する。第３の算出ステップは、フォーカス情報で指し示されるデータを示す表示情報の位置から、関連度に基づいて、切り替えられた後のカテゴリに分類されるデータを示す表示情報を配置した第２の関連データ一覧画面情報を出力する。
【図面の簡単な説明】
【０００９】
本発明によれば、カテゴリの切替によって、検索対象データに関連するものとして表示される他のデータのカテゴリが切り替えられるので、操作性が向上するという効果を奏する。
【図１】図１は、実施の形態にかかるデジタルテレビジョン表示装置の構成を示すブロック図である。
【図２】図２は、リモートコントローラの外観を示す図である。
【図３】図３は、ＴＶ番組をコンテンツとした場合におけるメタデータの一例を示す説明図である。
【図４】図４は、電子番組情報記憶部が電子番組情報を記憶するテーブル構造の例を示す図である。
【図５】図５は、表示部が表示する電子番組表の例を示した図である。
【図６】図６は、表示部が表示する過去電子番組表の例を示した図である。
【図７】図７は、表示部が表示するＰＶＲコンテンツの一覧表の例を示した図である。
【図８】図８は、図５〜図７などの表示画面で、番組検索に対応する緑ボタンが押下された場合に表示部が表示する画面の例を示した図である。
【図９−１】図９−１は、表示情報の一例を示す図である。
【図９−２】図９−２は、表示情報の一例を示す図である。
【図１０−１】図１０−１は、項目と項目軸と領域を説明する模式図である。
【図１０−２】図１０−２は、項目と項目軸と領域を説明する模式図である。
【図１１】図１１は、関連コンテンツ一覧情報を説明する模式図である。
【図１２】図１２は、関連コンテンツ一覧情報を説明する模式図である。
【図１３】図１３は、関連コンテンツ一覧情報を説明する模式図である。
【図１４】図１４は、関連コンテンツ一覧情報を説明する模式図である。
【図１５】図１５は、関連コンテンツ一覧情報を説明する模式図である。
【図１６】図１６は、関連コンテンツ一覧情報の一例を示す模式図である。
【図１７】図１７は、デジタルテレビジョン表示装置における画面遷移を示した説明図である。
【図１８】図１８は、関連コンテンツ一覧画面における、コンテンツの選択項目を表示した画面を示した図である。
【図１９】図１９は、カテゴリに応じて表示される選択項目の一覧を示した図である。
【図２０】図２０は、カテゴリ切替が行われた場合の関連コンテンツ一覧画面の遷移を示した図である。
【図２１】図２１は、番組表及び関連コンテンツ一覧画面間の画面遷移を示した図である。
【図２２】図２２は、履歴情報記憶部のテーブル構造を示した図である。
【図２３】図２３は、関連コンテンツ一覧画面を表示する際に、キーコンテンツと共に表示されるアイコンの遷移を示した図である。
【図２４】図２４は、操作履歴に基づく関連コンテンツ一覧画面の画面遷移を示した図である。
【図２５】図２５は、カテゴリ切替と操作履歴とに基づく関連コンテンツ一覧画面の画面遷移を示した図である。
【図２６】図２６は、表示制御部が表示するキーコンテンツ履歴一覧情報の例を示す図である。
【図２７】図２７は、デジタルテレビジョン表示装置による、番組表の表示から、関連コンテンツ一覧画面の表示までの処理手順の流れを示すフローチャートである。
【発明を実施するための形態】
【００１０】
以下に添付図面を参照して、この発明にかかるデータ処理方法の最良な実施の形態を詳細に説明する。なお、以下の実施の形態においては、本発明にかかるデータ処理方法をデジタルテレビジョン（Television：ＴＶ）表示装置に適用した例を示すが、これに限定されることなく、例映像等を表示するＡＶ機器などであれば、本発明を適用することができる。
【００１１】
（第１の実施の形態）
第１の実施の形態について図１を用いて説明する。まず、デジタルテレビジョン表示装置１００の機能構成について説明する。図１は、実施の形態にかかるデジタルテレビジョン表示装置１００構成を示すブロック図である。図１に示すように、デジタルテレビジョン表示装置１００は、履歴情報記憶部１４０と、電子番組情報記憶部１５０と、録画番組記憶部１６０と、表示部１７０と、接続Ｉ／Ｆ(InterFace)１８０と、通信部１９０とを備えている。そして、デジタルテレビジョン表示装置１００は、接続Ｉ／Ｆ１８０を介して外部録画番組記憶部１６１と、さらに通信部１９０を介して、外部ネットワーク上に配置されたデジタルテレビジョン表示装置１９５と、接続されている。
【００１２】
また、デジタルテレビジョン表示装置１００は、ＡＳＩＣやＣＰＵ等の処理装置、デジタルテレビジョン表示装置１００の動作を制御する所定のプログラムが格納されたＲＯＭや当該処理装置のワーク領域となるＲＡＭ等の記憶装置を備えており（何れも図示せず）、当該処理装置と記憶装置に格納されたプログラムとの協働により、操作受付部１０１、メタデータ検索部１０２、メタデータ取得部１０３、関連度算出部１０４、表示情報生成部１０５、表示制御部１０６、映像再生部１０７、放送受信部１０８の各機能部を実現する。本実施の形態では、ＴＶ番組等を録画した映像をコンテンツとする。
【００１３】
図１に示すデジタルテレビジョン表示装置１００では、現在放送中のコンテンツの他、ユーザの操作等に基づいて録画番組記憶部１６０に記憶されたコンテンツ（以下、ＰＶＲコンテンツと称す）を視聴できる。
【００１４】
また、デジタルテレビジョン表示装置１００は、放送局の数だけ、図示しないデジタル放送チューナを備えている。そして、これらのデジタル放送チューナにより、録画番組記憶部１６０に対してコンテンツが自動的に記録される。この自動的に記録されたコンテンツを、自動記録コンテンツと称す。この自動記録コンテンツは、ユーザからＰＶＲコンテンツとして保存するような操作がなされない限り、録画されてから一週間が経過した時点で自動的に削除されるものとする。これにより、本実施の形態にかかるデジタルテレビジョン表示装置１００では、既に放送済みの一週間分のコンテンツを視聴できる。
【００１５】
また、１週間分の自動記録コンテンツを保持することに伴い、デジタルテレビジョン表示装置１００は、過去１週間分の電子番組表も、後述する電子番組情報記憶部１５０で保持する。これにより、ユーザは、過去一週間のコンテンツについても、電子番組表（以下、過去電子番組表と称す）から選択することで視聴することができる。
【００１６】
そして、本実施の形態にかかるデジタルテレビジョン表示装置１００では、現在放送中及び放送予定のコンテンツと、ＰＶＲコンテンツと、自動録画コンテンツと、をそれぞれ分類したカテゴリ毎に、検索又は一覧表示等などの操作を受け付けるものとする。換言すれば、本実施の形態においては、検索範囲として、現在放送中及び放送予定コンテンツと、ＰＶＲコンテンツと、自動録画コンテンツと、をそれぞれ検索範囲又は表示範囲として分類し、これらカテゴリ毎にコンテンツの表示画面を用意する。カテゴリ別にコンテンツの表示画面を用意した理由について説明する。
【００１７】
本実施の形態にかかるデジタルテレビジョン表示装置１００では、放送局の数だけ、図示しないデジタル放送チューナを搭載し、各放送局のコンテンツを１週間分保持することとしている。また、地上波デジタルの他に、ＢＳやＣＳなどに属する放送局から様々なコンテンツが提供されている。さらに、録画番組記憶部１６０の大容量化に伴いＰＶＲコンテンツの量も増大する傾向にある。このため、本実施の形態にかかるデジタルテレビジョン表示装置１００でこれら全てのコンテンツを同一の表示画面で表示すると、ユーザが各コンテンツを認識するのが困難になる。
【００１８】
つまり、ＰＣであれば解像度が自由に設定できるため画面を高精細にすれば様々なコンテンツの表示が可能となるが、デジタルテレビジョン表示装置１００では大画面であっても解像度が予め定義されているため、上述したような膨大な数のコンテンツを表示しようとすると各コンテンツの表示と、コンテンツを選択するための操作が難しくなるという問題がある。このため、本実施の形態にかかるデジタルテレビジョン表示装置１００では、一度に表示される情報量を削減し、デジタルテレビジョン表示装置１００の解像度に適切な表示を行うために、カテゴリ毎にコンテンツを表示することとした。
【００１９】
リモートコントローラ９０は、利用者からボタン等を介して受け付けた操作情報を、デジタルテレビジョン表示装置１００に対して送信する。
【００２０】
図２は、リモートコントローラ９０の外観を示す図である。図２に示すリモートコントローラ（以下、リモコンとも称す）９０は、主として、電源キー２０１、入力切換キー２０２、衛星デジタル放送チャンネルのダイレクト選局キー２０３、地上波放送チャンネルのダイレクト選局キー２１８、カーソルキー２０４、決定キー２０５、番組表キー２０６、ページ切換キー２０７、ナビゲーションキー２０８、戻るキー２０９、終了キー２１０、青ボタン２１１ａ、赤ボタン２１１ｂ、緑ボタン２１１ｃ、黄ボタン２１１ｄ、地デジー地アナ切替キー２１２、ＢＳ−ＣＳ切替キー２１３、二画面表示切替キー２１４、チャンネルアップダウンキー２１５、音量調整キー２１６、発光部２１７等を備えている。
【００２１】
また、これらのキーのうち、青ボタン２１１ａ、赤ボタン２１１ｂ、緑ボタン２１１ｃ、及び黄ボタン２１１ｄは、コンテンツの表示画面の呼び出しや、コンテンツの表示画面におけるカテゴリの切替操作に用いられる。
【００２２】
このようにリモコン９０は、ユーザが容易に使用できるよう、ある程度ボタンの数が絞られている。そして、デジタルテレビジョン表示装置１００では、このリモコン９０で、膨大なコンテンツから、ユーザが所望するコンテンツを容易に見つけ出せるよう、以下に示す構成を備えることとした。これによりユーザは、コンテンツを検出するための操作が容易になる。
【００２３】
録画番組記憶部１６０は、映像等のコンテンツを記憶するＨＤＤやメモリ等の記憶媒体である。また、録画番組記憶部１６０は、コンテンツとともに提供されたメタデータを、当該コンテンツに対応付けて記憶している。
【００２４】
本実施の形態にかかるメタデータは、コンテンツの内容を示す情報（コンテンツ情報）とする。そして、録画番組記憶部１６０では、メタデータを、コンテンツの内容を分類する項目ごとに格納している。具体的には、録画番組記憶部１６０は、当該コンテンツのタイトル、チャンネル、放送日時、出演者、番組内容（番組内容を示すキーワードや文章）、ジャンル等の各項目に対して、それぞれの内容を示すコンテンツ情報（換言すればコンテンツのメタデータ）を対応付けて記憶している。
【００２５】
図３は、ＴＶ番組をコンテンツとした場合におけるメタデータの一例を示す説明図である。図３に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」などの情報が記憶されている。
【００２６】
なお、上記では、メタデータが予め設定された状態で提供される態様を説明したが、このような態様に限定されるものではない。例えば、リモートコントローラ９０やＰＣのキーボードなどの入力装置などを介してユーザから入力された情報をメタデータとして、コンテンツと関連付けて録画番組記憶部１６０に記憶してもよい。
【００２７】
電子番組情報記憶部１５０は、電子番組表（ＥＰＧ：Electronic  Program  Guide）を管理・配信している外部サーバ、またはＴＶ放送から取得した電子番組表を記憶するＨＤＤやメモリ等の記憶媒体である。具体的には、インターネットなどのネットワーク網に接続されたサービス提供者のサーバ装置から、通信部１９０を介してＴＶ、ＣＡＴＶ、ＣＳ放送、ＢＳ放送などの電子番組表を取得、又はＴＶ放送により放送された電子番組表を、アンテナやケーブル（不図示）を介して受信し、取得又は受信した電子番組表を記憶している。また、電子番組情報記憶部１５０は、コンテンツ毎に様々なステータスを記憶している。
【００２８】
図４は、電子番組情報記憶部１５０が電子番組情報を記憶するテーブル構造の例を示す図である。図４に示すように、電子番組情報記憶部１５０は、コンテンツ（番組）毎に、放送日時、番組説明、放送局名、放送時間、ステータスなどを対応付けて記憶する。
【００２９】
番組説明は、コンテンツを説明する情報（メタデータ）として、例えば、タイトル、人物、キーワード、ジャンルなどの情報を保持している。これらの情報は、電子番組表から取得した情報の他に、インターネットなどから取得した情報であっても良い。
【００３０】
ステータスは、各コンテンツの現在の状況を示す情報として、例えば、放送中、予約設定、録画中、予約録画済み、アーカイブ中、アーカイブ済みなどの情報を、対応付けて保持する。
【００３１】
各ステータスの“○”の設定の有無により、各コンテンツがいずれの状態にあるのか判定できる。例えば、“放送中”が“○”であれば、当該コンテンツが現在放送中であることを意味する。“予約設定”が“○”であれば、当該コンテンツが放送された際に、ＰＶＲコンテンツとして保持することを意味する。“録画中”が“○”であれば、当該コンテンツを現在ＰＶＲコンテンツとして録画中であることを意味する。
【００３２】
また、“予約録画済”が“○”であれば、当該コンテンツがＰＶＲコンテンツとして保持されていることを意味する。また、“アーカイブ中”が“○”であれば、当該コンテンツを自動録画コンテンツとして録画中であることを意味する。また、“アーカイブ済”が“○”であれば、当該コンテンツが自動録画コンテンツとして録画済みであることを意味する。
【００３３】
つまり、電子番組情報記憶部１５０のステータスを参照することで、各コンテンツが、放送中及び放送予定のコンテンツ、自動録画コンテンツ、及びＰＶＲコンテンツのいずれに属するのか特定できる。
【００３４】
そして、メタデータ取得部１０３が、放送日時、番組説明、放送局名、及び放送時間を取得し、表示制御部１０６が、これら情報に基づいて、電子番組表や、様々なコンテンツ一覧画面など生成、表示のための処理を行う。
【００３５】
ここで、電子番組表には、現在から未来のある時点（例えば、１週間後）までに放送される番組の一覧情報のほか、現在から過去のある時点（例えば１週間前）までに放送された番組（自動録画コンテンツ）の一覧情報（過去電子番組表）も含まれている。これにより、ユーザが過去電子番組表を参照し、当該過去電子番組表から選択したコンテンツに基づいて、自動録画コンテンツを視聴できる。
【００３６】
なお、電子番組情報記憶部１５０に記憶された番組に関する情報は、定期的に更新されるものとする。例えば、時間経過やユーザの操作に応じて各ステータスの設定が更新されたり、各コンテンツを示すレコードの追加、削除が行われるものとする。
【００３７】
接続Ｉ／Ｆ(InterFace)１８０は、外部録画番組記憶部１６１と接続するインターフェースとする。これにより、デジタルテレビジョン表示装置１００は、接続Ｉ／Ｆ(InterFace)１８０を介して、外部録画番組記憶部１６１に対してコンテンツを記録できる。また、外部録画番組記憶部１６１は、録画番組記憶部１６０と同様に、コンテンツとともに提供されたメタデータを、当該コンテンツに対応付けて記憶している。なお、外部録画番組記憶部１６１に格納されたコンテンツに関する電子番組情報は、録画番組記憶部１６０と同様に、電子番組情報記憶部１５０に格納される。
【００３８】
通信部１９０は、他のデジタルテレビジョン表示装置１９５など、コンテンツを格納している様々な装置に対して、ネットワークを介して通信する。通信部１９０は、他の装置との間で、コンテンツ（ＰＶＲコンテンツや、自動録画コンテンツ）等を送受信する他に、これらコンテンツのメタデータや、さらには、デジタルテレビジョン表示装置１９５が保持している電子番組表についても送受信できる。これにより、デジタルテレビジョン表示装置１００であっても、他のデジタルテレビジョン表示装置１９５が保持しているコンテンツ等について検索、表示等を行うことができる。
【００３９】
つまり、デジタルテレビジョン表示装置１００では、自装置が保持しているコンテンツのみならず、他の装置が保持しているコンテンツについても、ユーザがいずれの装置に格納されているのか意識することなく、視聴や検索対象として利用できる。
【００４０】
表示部１７０は、文字や画像を表示する液晶画面（ＬＣＤ）などであり、受信したＴＶ番組などのコンテンツや記憶されているコンテンツ、電子番組表などを表示するものである。
【００４１】
図５は、表示部１７０に表示される、現在放送中及び放送予定のコンテンツが配置された電子番組表の例を示した図である。図５に示すように、デジタルテレビジョン表示装置１００の表示画面５０１内に、電子番組表５０２が表示される。そして、電子番組表５０２内には、日時表示部５１１と、放送局別枠５１２とが存在する。そして、放送局別枠５１２内には、放送局を示すサムネイル５１３と、放送局表示部５１４と、放送局ごとの番組欄５１５とが表示されている。さらには、時刻表示部５１６が、各コンテンツの提供される時刻を視認可能に表示する。さらには、現在の時刻を示す現在時刻バー５１７が表示される。
【００４２】
そして、図５に示すように、電子番組表の操作や、ほかのコンテンツ一覧画面に移動するための操作案内部５０３が表示される。操作案内部５０３に示された各項目は、青ボタン２１１ａ、赤ボタン２１１ｂ、緑ボタン２１１ｃ、及び黄ボタン２１１ｄに対応している。つまり、これらボタンが押下されることで、各項目に示された操作が行われる。例えば、番組検索５０３ａに対応する緑ボタン２１１ｃが押下されることで、現在放送中又は放送予定のコンテンツを検索するための番組検索画面が表示される。
【００４３】
図６は、表示部１７０に表示される、自動録画コンテンツが配置された過去電子番組表の例を示した図である。図６に示すように、デジタルテレビジョン表示装置１００の表示画面６０１内に、過去電子番組表６０２が表示される。なお、過去電子番組表６０２内の各構成については、図５の電子番組表とほぼ同様として説明を省略する。なお、過去電子番組表６０２を表示するための操作手順については、どのような手法を用いてもよく、過去電子番組表６０２を操作するための特別な操作手順を用意してもよいし、現在放送中の番組が示された電子番組表５０２から過去にさかのぼる操作に従って表示されることにしてもよい。
【００４４】
そして、図６でも、過去電子番組表の操作や、ほかのコンテンツ一覧画面に移動するための操作案内部６０３が表示される。操作案内部６０３に示された各項目は、青ボタン２１１ａ、赤ボタン２１１ｂ、緑ボタン２１１ｃ、及び黄ボタン２１１ｄに対応している。つまり、これらボタンが押下されることで、各項目に示された操作が行われる。例えば、番組検索６０３ａに対応する緑ボタン２１１ｃが押下されることで、自動録画コンテンツを検索するための番組検索画面が表示される。
【００４５】
図７は、表示部１７０に表示される、ＰＶＲコンテンツの一覧表の例を示した図である。この一覧表を表示するための操作手順は、従来からの操作手順などを用いてよい。そして、図７に示すように、デジタルテレビジョン表示装置１００の表示画面７０１内に、ＰＶＲコンテンツの一覧表が表示される。そして、一覧表内には、ＰＶＲコンテンツがジャンルごとに一覧表示される。なお、ＰＶＲコンテンツの表示手法としては、ジャンルごとに一覧表示に制限するものではなく、従来用いられている手法を含め、様々な表示態様を用いてよい。
【００４６】
そして、図７でも、当該一覧表の操作や、ほかのコンテンツ一覧画面に移動するための操作案内部７０２が表示される。操作案内部７０２に示された各項目は、青ボタン２１１ａ、赤ボタン２１１ｂ、緑ボタン２１１ｃ、及び黄ボタン２１１ｄに対応している。つまり、これらボタンが押下されることで、各項目に示された操作が行われる。例えば、緑ボタン２１１ｃが押下されることで、ＰＶＲコンテンツを検索するための検索画面が表示される。
【００４７】
図８は、図５〜図７などの表示画面で、番組検索に対応する緑ボタン２１１ｃが押下された場合に表示部１７０が表示する画面の例を示した図である。図８（ａ）に示すように、ユーザから番組検索が選択された場合に、表示部１７０が、ウィンドウ８０１を表示する。このウィンドウ８０１には、検索ナビ８０１ａと、関連番組一覧８０１ｂとが選択可能に表示される。そして、ユーザが、リモートコントローラ９０で、関連番組一覧８０１ｂを選択した場合に、デジタルテレビジョン表示装置１００においては、当該表示画面で選択されていたコンテンツ（例えばコンテンツ８０２）に関連するコンテンツの検索が行われる。なお、検索ナビ８０１ａが選択された場合は、従来からの使用されている検索画面に移行するものとして説明を省略する。
【００４８】
図８（ｂ）が、関連番組一覧８０１ｂが選択された場合に表示される関連番組（関連コンテンツ）の検索範囲の設定画面を示した図である。図８（ｂ）に示す例では、どの表示画面から、関連番組一覧８０１ｂを押下したのかに応じて、検索対象が異なる。
【００４９】
例えば、図５の電子番組表から移動してきた場合には、検索対象が「放送番組」８０２ａとなり、現在放送中のコンテンツおよび放送予定のコンテンツが検索対象となる。また、図６の過去電子番組表から移動してきた場合には、検索対象が「過去放送番組」となり、録画番組記憶部１６０に記憶された自動録画コンテンツが検索対象となる。また、図７のＰＶＲコンテンツの一覧表から移動してきた場合には、検索対象が「予約録画済番組情報」となり、録画番組記憶部１６０に記憶されたＰＶＲコンテンツが検索対象となる。
【００５０】
さらに、操作受付部１０１は、図８（ｂ）に示す検索範囲の設定画面において、検索対象となったカテゴリに属するコンテンツを検索する際、表示するコンテンツの条件を設定する操作を受け付ける。本実施の形態では、設定可能な検索条件として、チャンネル８０２ｂ、録画機器８０２ｃおよび日時８０２ｄを設定可能とする。チャンネル８０２ｂは、コンテンツを提供しているチャンネルを検索条件として設定する。チャンネル８０２ｂの選択肢としては、例えば「すべて」、「地デジ（地上波デジタル放送）」、「ＢＳ（Broadcasting  Satellite）」、又は「ＣＳ（Communications  Satellite）」などとする。また、操作受付部１０１は、検索対象からチャンネルを除外する操作を受け付けてもよい。
【００５１】
図８（ｂ）に示す設定画面の項目である、録画機器８０２ｃは、検索対象となる記憶装置の設定に用いられる。通常の状態では、録画番組記憶部１６０に格納されたコンテンツのみが検索対象となる。ユーザは、録画機器８０２ｃを設定することで、接続Ｉ／Ｆ１８０を介して接続された外部録画番組記憶部１６１や、ネットワークを介して接続されたデジタルテレビジョン表示装置１９５を、検索対象とすることができる。そして、図８（ｂ）に示す検索範囲の設定画面で設定された検索条件に従って、表示部１７０が、関連コンテンツの一覧情報を表示する。
【００５２】
このように図８（ｂ）に示す画面で、検索範囲を制限することで余分なコンテンツが表示されず、ユーザが関連コンテンツ一覧画面内から視聴、録画する番組（コンテンツ）を決定する際の負荷が軽減できるため、結果的に関連コンテンツ一覧画面における操作性が向上する。
【００５３】
また、表示部１７０は、ユーザがコンテンツの検索を行うために、後述する表示情報生成部１０５により生成されたコンテンツの内容を表わす表示情報（図９−１、９−２参照）を、後述する表示制御部１０６によって配置した一覧情報（図１６参照）を表示する。また、表示部１７０は、各項目を、一覧情報内に表示する（図１６参照）。
【００５４】
放送受信部１０８は、ＴＶ放送により放送された映像のコンテンツ（ＴＶ番組）を、アンテナやケーブル（不図示）を介して受信するものである。
【００５５】
映像再生部１０７は、ユーザが再生を所望する映像のコンテンツ、すなわち放送受信部１０８により受信したＴＶ番組などのコンテンツ、または録画番組記憶部１６０に記憶されている映像のコンテンツを取得して、取得したコンテンツをデコード（再生）して表示制御部１０６に送出するものである。
【００５６】
操作受付部１０１は、コンテンツ受付手段及び切替受付手段としての機能するものであり、操作機器が操作されたことを認識し、その操作を受付けるものである。操作機器としては、例えば、操作ボタンが設けられたリモコン９０や、キーボード（不図示）、マウス等であり、リモコン９０での操作は、操作ボタンの押下であり、キーボードでの操作はキーの操作であり、マウスでの操作はマウスの移動や操作ボタンの押下等である。
【００５７】
操作受付部１０１は、検索の基準（キー）として用いられるコンテンツ（キーコンテンツ）の選択を受け付ける。具体的には、操作受付部１０１は、現在放送中のコンテンツ及び放送予定のコンテンツ、自動録画コンテンツ、並びにＰＶＲコンテンツのうち、表示部１７０に現在表示されているカテゴリに属するコンテンツの選択を受け付ける。
【００５８】
例えば、ユーザが複数のコンテンツから所望のコンテンツを検索し、さらにそのコンテンツと関連するコンテンツを検索する場合、表示部１７０に表示された電子番組表に表示された複数のコンテンツから検索の中心（キー）となるコンテンツ（キーコンテンツ）を、操作機器でユーザが選択すると、操作受付部１０１は、このキーコンテンツの選択操作を受け付け、検索の基点（キー）として特定すると共に、コンテンツの検索を行う旨の操作を受け付ける。なお、キーコンテンツの特定手法としては、ユーザによるキーコンテンツの選択に制限するものではなく、システム側でキーコンテンツを特定してもよい。また、再生中のコンテンツをキーコンテンツとしてもよく、その場合には、ユーザがコンテンツの再生中に操作機器を操作した場合、操作受付部１０１は、その再生中のコンテンツをキーコンテンツとする選択操作、すなわちコンテンツの検索を行う旨の操作を受け付ける。
【００５９】
さらに、操作受付部１０１は、詳細は後述するが、表示部１７０に表示された複数のコンテンツの表示情報が表示された関連コンテンツ一覧画面（図１６参照）から、注目するコンテンツ（注目コンテンツ）の表示情報に対する指示操作を受け付ける。なお、関連コンテンツ一覧画面とは、キーコンテンツと関連度が高い他のコンテンツが配置された一覧画面とする。
【００６０】
さらに、操作受付部１０１は、詳細は後述するが、表示部１７０に表示された関連コンテンツ一覧画面（図１６参照）から、項目の選択操作および表示切替操作を受け付ける。
【００６１】
さらに、操作受付部１０１、表示するカテゴリの切り替えを受け付ける。この切替はどのような操作で行われてもよいが、本実施の形態においては、リモコン９０の緑ボタン２１１ｃの押下を受け付けた場合に、操作受付部１０１が、カテゴリを切り替えるものとする。つまり、緑ボタン２１１ｃの押下が行われる度に、表示するコンテンツが、現在放送中のコンテンツ及び放送予定のコンテンツ、自動録画コンテンツ、並びにＰＶＲコンテンツのいずれかに切り替えられる。
【００６２】
さらに、操作受付部１０１は、後述する履歴情報記憶部１４０に格納されている使用履歴から、キーコンテンツの選択操作を受け付ける。この使用履歴には、キーコンテンツが使用した順序に応じて格納されている。なお、履歴を用いた操作については、後述する。
【００６３】
メタデータ取得部１０３は、操作受付部１０１により、キーコンテンツの選択操作を受け付けた場合、表示するカテゴリに含まれる全てのコンテンツ（キーコンテンツおよびキーコンテンツ以外の他のコンテンツ）のメタデータを取得する。具体的には、メタデータ取得部１０３は、コンテンツのメタデータを録画番組記憶部１６０から取得する。
【００６４】
ただし、図８（ｂ）に示す画面で、表示するための条件が設定された場合、メタデータ取得部１０３は、設定された条件を満足するコンテンツのメタデータのみ取得する。これにより、表示制御部１０６は、操作受付部１０１により設定を受け付けた条件を満足する、他のコンテンツを示すアイコン報のみが配置された関連コンテンツ一覧画面を表示することになる。
【００６５】
また、メタデータ取得部１０３は、電子番組情報記憶部１５０に記憶されている電子番組表からコンテンツのメタデータを取得する。
【００６６】
さらに、メタデータ取得部１０３は、選択操作受付部１０１がキーコンテンツを選択する操作を受け付けた場合に、当該キーコンテンツのメタデータを履歴情報記憶部１４０に格納する処理を行う。
【００６７】
メタデータ検索部１０２は、操作受付部１０１により、キーコンテンツの選択操作を受け付けた場合、メタデータ取得部１０３により取得したコンテンツのメタデータから、キーコンテンツのメタデータを検索し、検索したキーコンテンツのメタデータを関連度算出部１０４に送出する。さらに、メタデータ検索部１０２は、メタデータ取得部１０３により取得したキーコンテンツのメタデータから、関連度算出部１０４によりキーコンテンツとの関連度を算出する対象となる他のコンテンツのメタデータを検索し、検索した他のコンテンツのメタデータを関連度算出部１０４に送出する。
【００６８】
また、メタデータ検索部１０２は、操作受付部１０１により、キーコンテンツの選択操作を受け付けた場合、メタデータ取得部１０３により取得した全てのコンテンツのメタデータを、表示情報生成部１０５に送出する。
【００６９】
関連度算出部１０４は、メタデータ検索部１０２から送出されたキーコンテンツのメタデータと他のコンテンツのメタデータとに基づいて、キーコンテンツに対する他のコンテンツ各々の関連度を、項目毎（例えば、タイトル、チャンネルごと）に算出する。具体的に、関連度ＲＭの算出は、下記式（１）を用いて算出する。
【００７０】
【数１】
0005487247.tif 000002
【００７１】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａn（Ｍ１１（ｎ）、Ｍ２１（ｎ））は、メタデータＭ１１（ｎ）とＭ２１（ｎ）との関連度をＲＭnとして返す関数であり、Ｗａnは重みを示す値（ｎ＝１、・・・、Ｎ）である。
【００７２】
ここでメタデータとして取得される情報は上述の通り多岐に渡るが、以下、説明を簡略化するため、メタデータは｛録画日時、コンテンツのタイトル、チャンネル、ジャンル、出演者リスト｝の５つの集合である（Ｎ＝５）とし、これら５つのメタデータを先頭からｎ＝１、２、・・・、５であるとして説明を進める。
【００７３】
すると、キーコンテンツに対する他のコンテンツの関連度ＲＭは、下記に示した５つの関連度ＲＭ1〜ＲＭ5の重み付き線形和に、重み付けがなされたものとして表すことができる。
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００７４】
ｆａ1は例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００７５】
なお、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００７６】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００７７】
ｆａ2は例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能である。
【００７８】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００７９】
また、メインの文字列が同じで、サブの文字列が異なる場合には、これらは共通のシリーズのコンテンツであることが多いため、このような場合には、よりｆａ2の値を大きくするなどといったこともあり得る。例えば、“あいうえお＃２”と、“あいうえお＃３”は、同じドラマコンテンツの異なる回であるとみなせるため、このような場合には、ｆａ2の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００８０】
ｆａ3は例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ３を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００８１】
ｆａ4は例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００８２】
ｆａ5はｆａ4と同様である。例えば、メタデータＭ１１とＭ２１との登場人物リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００８３】
同様に、登場グループや登場人物の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００８４】
なお、以上では、登場人物リストに登場する人に対して関連度の区別をしない例を示したが、これに限定されるものではない。登場人物リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００８５】
表示情報生成部１０５は、メタデータ検索部１０２から送出されたキーコンテンツのメタデータおよび他のコンテンツのメタデータに基づいて、キーコンテンツおよび他のコンテンツの内容を表わす表示情報を生成するものである。
【００８６】
より詳細な例としては、表示情報生成部１０５は、コンテンツが録画番組記憶部１６０に記憶された映像データのメタデータに基づいて、当該映像データの代表画像にタイトル等を付随させて、表示部１７０に表示可能とした表示情報を生成する。他の例としては、表示情報生成部１０５は、電子番組情報記憶部１５０に記憶された電子番組表に基づいて、ＴＶ番組のタイトル、放送日時、チャンネル、番組内容等を、表示部１７０に表示可能とした表示情報を生成する。
【００８７】
ここで、表示情報の詳細について説明する。図９−１、９−２は、コンテンツの内容を表わす表示情報の一例を示す図である。図９−１は、例えば、録画番組記憶部１６０に記憶された映像データのメタデータに基づいて生成されたキーコンテンツの表示情報Ｃ１である。同図に示すように、キーコンテンツの表示情報Ｃ１には、Ｃ１−１にそのコンテンツの代表画像が表示され、Ｃ１−２にそのコンテンツ（映像）のタイトル「Ｌ３５８△＊６」が表示されている。
【００８８】
また、図９−２は、例えば、電子番組表に基づいて生成されたキーコンテンツの表示情報Ｃ１である。同図に示すように、キーコンテンツの表示情報Ｃ１は、Ｃ１−３にチャンネルが表示され、Ｃ１−４にそのコンテンツ（映像）のタイトル「お昼のコメディーショー」、番組内容「今旬の〜世界にいざなう」が表示され、Ｃ１−５に放送日時が表示される。
【００８９】
表示制御部１０６は、映像再生部１０７により送出されたコンテンツを表示部１７０に再生表示する。また、表示制御部１０６は、上述したように操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した関連コンテンツ一覧情報として表示する。
【００９０】
関連コンテンツ一覧情報は、キーコンテンツの表示情報を所望の位置に配置するとともに、操作受付部１０１によって選択を受け付けた項目を、当該キーコンテンツに近接する位置であってリモコン９０等の操作機器に備えられた操作ボタン、例えば十字キーの操作ボタンによる操作方向に沿う方向に配置する。さらに、関連コンテンツ一覧情報は、各項目の近傍に、当該キーコンテンツの表示情報の位置を中心に同心形状に形成された複数の多角形上であって、リモコン９０等の操作機器に備えられた操作ボタン、例えば十字キーの操作ボタンによる操作方向に沿う形状で、各項目に関連する他のコンテンツの表示情報をそれぞれ配置したものである。また、関連コンテンツ一覧情報においては、他のコンテンツ表示情報は、中心から放射方向に向けて項目ごとに分別された所定領域に、中心近傍から各項目に関する関連度の高い順にそれぞれ配置される。また、関連コンテンツ一覧情報は、キーコンテンツの表示情報の表示サイズを最大とし、中心近傍から離れるに従って他のコンテンツの表示情報の表示サイズを小さくして表示される。次に、関連コンテンツ一覧情報における表示情報の配置および表示動作の詳細について、図１０−１ないし図１６を参照して説明する。図１０−１〜図１６は、関連コンテンツ一覧情報を説明する模式図である。
【００９１】
まず、図１０−１に示すように、表示制御部１０６は、キーコンテンツの表示情報Ｃ１を所望の位置に配置し、キーコンテンツの表示情報Ｃ１を中心に操作機器による方向指示に対応する方向に沿うように、ｘ軸正方向、ｘ軸負方向、ｙ軸正方向、ｙ軸負方向の４軸（軸１〜４）を設定する。さらに、表示制御部１０６は、各項目を、操作機器による方向指示に対応する方向に延出した各軸上であって、キーコンテンツＣ１に近接する位置に配置する。即ち、軸の数および項目の数は、リモコン９０等の操作機器に備えられた方向を操作するための操作ボタン（十字キー）により指定可能な数（４方向）に等しい。なお、リモコン９０等の操作機器に上／下／左／右／右上／右下／左上／左下の８キーが設けられた場合は８軸まで設けることができる。
【００９２】
そして、表示制御部１０６は、図１０−２に示すように、各軸（軸１〜４）をそれぞれ含む任意の角度、例えば軸を含む９０度で、中心にあるキーコンテンツの表示情報Ｃ１から放射方向に向けて領域を分別することで、各軸を含む所定の表示領域（領域１〜４）を各項目１〜４に対応付けて生成する。
【００９３】
次に、表示制御部１０６は、図１１に示すように、キーコンテンツの表示情報Ｃ１の位置を中心とした同心形状に形成された複数の８角形Ｆ１、Ｆ２…上であって、リモコン９０に備えられた操作ボタンによる上下左右の操作方向に沿う形状で、他のコンテンツの表示情報を配置していく。つまり、表示制御部１０６は、８角形Ｆ１の頂点には、他のコンテンツの表示情報Ｃ１１〜１８までの８個の表示情報を配置する。また、表示制御部１０６は、８角形Ｆ２の頂点には、他のコンテンツの表示情報Ｃ２１、２３、２５、２７、２９、３１、３３、３５の８つの表示情報を配置し、それぞれの表示情報の間に、操作方向に沿うように他のコンテンツの表示情報Ｃ２２、２４、２６、２８、３０、３２、３４、３６の８個の表示情報を配置する。以下同様に、８角形の頂点に他のコンテンツの表示情報を８つ配置し、それぞれの表示情報の間にさらに他のコンテンツの表示情報を配置していく。このように他のコンテンツの表示情報を配置すると、いずれの表示情報から上下左右の操作がなされても、その操作方向に沿って、その表示情報以外の表示情報が配置されることになる。
【００９４】
このとき、表示制御部１０６は、図１２に示すように、他のコンテンツの表示情報を、キーコンテンツの表示情報Ｃ１が配置されている中心近傍から外側に向かって、キーコンテンツとの関連度の高い順に配置する。すなわち、表示制御部１０６は、図１１で示すと、８角形Ｆ１上に、最もキーコンテンツとの関連度が高い他のコンテンツの表示情報を配置し、さらに、Ｆ２、Ｆ３…（不図示）上に、関連度の高い順に他のコンテンツの表示情報を配置していく。
【００９５】
また、表示制御部１０６は、各項目に関するキーコンテンツとの関連度が高い順に、他のコンテンツの表示情報を、各項目（Ｋ１、Ｋ２、Ｋ３、Ｋ４）に対応する各表示領域（領域１、領域２、領域３、領域４）に配置していく。つまり、表示制御部１０６は、図１３に示すように、項目Ｋ１に対して境界線Ｂ１と境界線Ｂ４とで囲まれた領域１を割当て、項目Ｋ２に対して境界線Ｂ１と境界線Ｂ２とで囲まれた領域２を割当て、項目Ｋ３に対して境界線Ｂ２と境界線Ｂ３とで囲まれた領域３を割当て、さらに、項目Ｋ４に対して境界線Ｂ３と境界線Ｂ４とで囲まれた領域４に割り当てられる。そして、各領域においては、各項目に関するキーコンテンツとの関連度が高い順に、図１３の表示情報上に示す数字の順番で他のコンテンツの表示情報を配置する。
【００９６】
また、表示制御部１０６は、他のコンテンツの表示情報が複数の領域に属する場合、いずれか一つの領域に表示する。具体的には、表示制御部１０６は、他のコンテンツの表示情報が領域１、２の両領域に属する場合、キーコンテンツに対する関連度が最も高い項目の領域に表示する。
【００９７】
なお、表示情報Ｃ１１、２１、４１は、領域１または領域２のいずれにも属することができる位置であるが、例えば、キーコンテンツに対する関連度が所定の閾値よりも高い他のコンテンツをより多く有する項目の領域に属するように設定できる。つまり、図１３における表示情報Ｃ１１、２１、４１は、領域１の項目Ｋ１より、領域２の項目Ｋ２の方が、所定の閾値より高い関連度を有する他のコンテンツをより多く存在するため、領域２に属している。また、表示情報Ｃ１３、２５、４７、１５、２９、５３、１７、３３、５９についても同様である。
【００９８】
なお、ここでは、各境界線付近に表示される表示情報を、キーコンテンツとの関連度の高さによりいずれの項目の領域に属するかを判断しているが、これに限定されることなく、例えば、キーコンテンツとの関連する他のコンテンツの総数が多い項目の領域に、各境界線付近に表示される表示情報を属するように構成してもよい。
【００９９】
また、図１４に示すように、表示制御部１０６は、キーコンテンツの表示情報の表示サイズを最大とし、中心近傍から離れるに従って他のコンテンツの表示情報の表示サイズを小さくして表示する。なお、表示情報の配置位置および表示サイズは、予め表示制御部１０６が記憶しており、キーコンテンツに対する関連度を算出した後に、他のコンテンツの表示情報を所定の表示サイズにして順番に配置していく。
【０１００】
表示制御部１０６は、このようにしてキーコンテンツの表示情報Ｃ１と他のコンテンツの表示情報Ｃ１１〜を配置した関連コンテンツ一覧情報を生成し、生成した関連コンテンツ一覧情報を表示部１７０に表示する。図１５は、キーコンテンツの表示情報Ｃ１と他のコンテンツの表示情報Ｃ１１〜を配置した関連コンテンツ一覧情報の一例を示す図である。図１５の関連コンテンツ一覧情報では、キーコンテンツＣ１に近接する位置に項目Ｋ１、Ｋ２、Ｋ３、Ｋ４が表示されている。図１５に示す例では、項目Ｋ１に対して「人」が選択されており、項目Ｋ２に対して「タイトル」が選択されており、項目Ｋ３に対して「ジャンル」が選択されており、項目Ｋ４に対して「キーワード」が選択されている。そして、キーコンテンツの表示情報Ｃ１を中心位置として、他のコンテンツの表示情報が中心近傍から外側に向けて配置されている。
【０１０１】
また、本実施の形態では、上下左右の操作方向に沿う形状で他のコンテンツの表示情報を配置したため、例えば、検索中における注目コンテンツが表示情報Ｃ３０であった場合に、リモコン９０の操作ボタンやキーボードキーにより左右の指示操作を受け付けると、矢印Ａのように注目コンテンツが変わっていく。また、検索中における注目コンテンツが表示情報Ｃ３０であった場合に、リモコン９０の操作ボタンやキーボードキーにより上下の指示操作を受け付けると、矢印Ｂのように注目コンテンツが変わっていく。また、例えば、注目コンテンツが表示情報Ｃ１１であった場合に、指示操作を受け付けて右にカーソル１つ分移動すると、表示情報Ｃ３６へ注目コンテンツが変わる。同じく、上にカーソル１つ分移動すると表示情報Ｃ２２へ、左にカーソル１つ分移動すると表示情報Ｃ１２へ、下にカーソル１つ分移動すると表示情報Ｃ１８へ注目コンテンツが変わることになる。これにより、リモコン９０の十字キーなどの操作ボタンやキーボードの十字キーなどからの指示操作が行いやすくなる。
【０１０２】
ここで、項目の選択操作について図１６を用いて説明する。まず、上述したように、軸の数および項目の数は操作機器の十字キーにより指定可能な数と等しく設けられており、また、各項目Ｋ１〜Ｋ４は各軸上にキーコンテンツＣ１に近接して配置されている。キーコンテンツＣ１の位置にカーソルがある場合、操作機器の十字キーを上方向に１回操作すると、キーコンテンツの上側に配置されている項目Ｋ２「タイトル」を超えて、コンテンツＣ１２にカーソルを移動する。つまり、操作機器の十字キーの操作で、キーコンテンツＣ１から他のコンテンツに移動できる。
【０１０３】
また、カーソルがコンテンツＣ１２にある状態で操作キーの十字キーを下方向に操作すると、カーソルはキーコンテンツＣ１に移動し、キーコンテンツＣ１に関する操作が可能な状態となる。
【０１０４】
操作キーにより、各軸に割り当てられた各項目に属するコンテンツが選択可能となる。なお、ユーザが各軸に割り当てる項目を設定可能にしても良い。本実施の形態では、割り当てられる項目の例として、タイトル、ジャンル、人物、キーワードを挙げたが、例えば、放送局、放送日時等の項目を設定しても良い。また、各ユーザにとって見やすく操作しやすい位置に好みの項目を自在に配置することが可能となり、各ユーザに対して利便性を向上させることができる。
【０１０５】
次に、番組表や、関連コンテンツ一覧画面でコンテンツを選択された場合の画面遷移について、図１７を用いて説明する。まず、表示制御部１０６が、表示部１７０に対して、番組表となる画面１７０１を表示する。この番組表は、現在放送中の番組や放送予定の番組の番組表でも、放送済みの番組表でも良い。そして、操作受付部１０１が、番組表から一つのコンテンツの選択する操作を受け付けたものとする。その後、番組検索に対応する緑ボタン２１１ｃの押下と、図８（ａ）に示す画面で「関連番組一覧」８０１ｂの選択を受け付けたものとする。そして、図８（ｂ）に示す画面で、検索範囲の設定がなされたものとする。
【０１０６】
この場合、表示制御部１０６は、画面１７０２に示すように、選択されたコンテンツの表示情報１７１２が表示された後、番組表や背景など消し始める。そして、画面１７０３に示すように、黒い背景の上に、キーコンテンツとなる表示情報１７１３のみ表示される。このようにキーコンテンツとなる表示情報１７１３は、再配置の基準となる。
【０１０７】
次に、画面１７０４に示すように、表示制御部１０６が、キーコンテンツの表示情報を中心位置に表示した上で、当該キーコンテンツに関連する他のコンテンツの表示情報を、表示領域の最外周部に位置する表示位置から、キーコンテンツとの関連度に基づいて特定された表示位置まで遷移するアニメーション表示を行う。そして、画面１７０５に示すように、表示制御部１０６が、各表示情報がキーコンテンツとの関連度が高い順に配置された一覧情報が示された画面を表示する。
【０１０８】
その後、画面１７０６に示すように、表示制御部１０６が関連コンテンツ一覧画面の表示を行い、操作受付部１０１が受け付けたカーソルの操作に基づいて、フォーカス１７１４の遷移を行う。そして、操作受付部１０１が、キーコンテンツと異なるコンテンツの表示情報の選択操作を受け付けた場合に、画面１７０７に示すように、選択されたコンテンツの表示情報１７１５のみ残し、他のコンテンツの表示情報を消し始める。
【０１０９】
そして、表示制御部１０６が、画面１７０３に示すように、黒い背景の上に、次にキーコンテンツとなる表示情報１７１３のみ表示し、他のコンテンツの表示情報の遷移をアニメーション表示する画面１７０４を経由して、画面１００５に示すように、選択されたコンテンツの表示情報を中心に配置し、選択されたコンテンツと関連するコンテンツの表示情報が周囲に配置された一覧情報を表示する。
【０１１０】
その後は、画面１７０６〜画面１７０５までの遷移が、ユーザの選択操作に基づいて繰り返し行われる。上述した画面遷移において、キーコンテンツの表示情報を残して他の情報の表示を停止することで、キーコンテンツを認識することができる。さらにキーコンテンツの表示情報を中心位置に配置し、他のコンテンツの表示情報がキーコンテンツの表示情報の周囲に配置されるように遷移を行うことで、ユーザは、キーコンテンツと他のコンテンツとの関係を把握することができる。これにより、ユーザが所望するコンテンツを探し出すのが容易になる。
【０１１１】
図１７で示した関連コンテンツ一覧画面における画面遷移は、現在放送中のコンテンツおよび放送予定のコンテンツ、自動録画コンテンツ、及びＰＶＲコンテンツに分類されたカテゴリのいずれのカテゴリであっても同様の遷移を行うものとして、他のカテゴリについての説明は省略する。また、カテゴリが切り替えられた場合も、同一のキーコンテンツに基づいて、上述した説明と同様の画面遷移が行われるものとする。さらには、履歴記憶部１４０に記憶された履歴によりキーコンテンツが変更された場合も、上述した説明と同様の画面遷移が行われるものとする。
【０１１２】
また、関連コンテンツ一覧画面で、キーコンテンツ又は他のコンテンツの表示情報にフォーカスが当たっている状態で、操作受付部１０１が、メニューを表示するための操作を受け付けた場合に、表示制御部１０６は、当該キーコンテンツ又は他のコンテンツについて実行可能な選択項目が示されたメニュー画面を表示する。図１８は、自動録画コンテンツが配置された関連コンテンツ一覧画面における、コンテンツに対する選択項目が表示されたメニュー画面を示した図である。
【０１１３】
図１８に示すように、自動録画コンテンツの表示情報がフォーカスされている状態で、メニュー画面が表示された場合、「視聴」、「保存」及び「連続録画設定」を選択項目として表示する。これら選択項目のうち、「視聴」は当該自動録画コンテンツの視聴することを、「保存」は当該自動録画コンテンツをＰＶＲコンテンツとして保存することを、「連続録画設定」は毎週同時刻に録画する設定を行うこと、を意味する。このように、自動録画コンテンツに対して選択項目が表示される。
【０１１４】
なお、表示される選択項目は、フォーカスされたコンテンツが、どのカテゴリに属するのかに応じて異なるものとする。図１９は、コンテンツのカテゴリに応じて表示される選択項目の一覧を示した図である。図１９に示すように、現在放送中のコンテンツの表示情報がフォーカスされた状態で、メニューを表示した場合、「視聴」、「録画」及び「連続録画設定」が選択項目として表示される。また、放送予定のコンテンツの表示情報がフォーカスされた状態で、メニューを表示した場合、「視聴予約」、「録画予約」及び「連続録画設定」が選択項目として表示される。さらに、ＰＶＲコンテンツがフォーカスされた状態で、メニューを表示した場合、「レジューム再生」が選択項目として表示される。このようにカテゴリに応じて適切な選択項目が表示されるため、操作性が向上する。
【０１１５】
次に、図１６に示す画面で「カテゴリ切替」１６０３に対応する緑ボタン２１１ｃが押下された場合の、関連コンテンツ一覧画面の遷移について説明する。図２０は、カテゴリ切替が行われた場合の関連コンテンツ一覧画面の遷移を示した図である。図２０に示すように、緑ボタン２１１ｃが押下される度に、操作受付部１０１がカテゴリの切替として受け付け、メタデータ検索部１０２が再検索を行った後、表示制御部１０６が、切り替えられたカテゴリの関連コンテンツ一覧画面を表示する。図２０に示すように、カテゴリの切替が行われた場合であっても、ユーザに選択されたキーコンテンツが引き継がれる。そして、当該キーコンテンツは他のコンテンツとの間の関連度算出に用いられる。
【０１１６】
例えば、図２０（ａ）に示す関連コンテンツ一覧画面で表示されている、現在放送中のコンテンツ及び放送予定のコンテンツから、操作受付部１０１がキーコンテンツの選択を受け付けた後、緑ボタン２１１ｃの押下により、操作受付部１０１がカテゴリの切替を受け付けた場合、現在放送中のコンテンツ又は放送予定のコンテンツであるキーコンテンツと、切り替えられたカテゴリに属する自動録画コンテンツとの間で関連度算出部１０４による関連度の算出が行われる。そして、関連度の算出結果に従って、表示制御部１０６が、現在放送中のコンテンツ又は放送予定のコンテンツであるキーコンテンツの表示情報を中心に、自動録画コンテンツが他のコンテンツとして周囲に表示情報が配置されている、図２０（ｂ）に示す関連コンテンツ一覧画面を表示する。
【０１１７】
その後、再び、緑ボタン２１１ｃの押下により、操作受付部１０１がカテゴリの切替を受け付けた場合、現在放送中のコンテンツ又は放送予定のコンテンツであるキーコンテンツと、切り替えられたカテゴリに属するＰＶＲコンテンツとの間で関連度算出部１０４による関連度の算出が行われる。そして、関連度の算出結果に従って、表示制御部１０６が、現在放送中のコンテンツ又は放送予定のコンテンツであるキーコンテンツの表示情報を中心に、ＰＶＲコンテンツが他のコンテンツとして周囲に表示情報が配置されている、図２０（ｃ）に示す関連コンテンツ一覧画面を表示する。
【０１１８】
ただし、図２０（ｂ）に示す関連コンテンツ一覧画面で、自動録画コンテンツがフォーカスされた後に、緑ボタン２１１ｃの押下により、操作受付部１０１がカテゴリの切替を受け付けた場合、フォーカスされている自動録画コンテンツをキーコンテンツとして、後の処理が行われることになる。
【０１１９】
また、操作受付部１０１がカテゴリの切替を受け付ける毎に、メタデータ取得部１０３によるメタデータの取得、及び関連度算出部１０４による関連度の算出まで実際に行うものとする。つまり、時間の経過により、現在放送中のコンテンツ等が変化することで、電子番組情報記憶部１５０や録画番組記憶部１６０に格納されている情報が変化した場合に、変化した情報に基づいた関連コンテンツ一覧画面が表示される。このため、例えば、先程まで放送していたコンテンツの放送が終了した場合、当該コンテンツは、現在放送中のコンテンツ又は放送予定のコンテンツの関連コンテンツ一覧画面に表示されなくなる。その代わり、当該コンテンツは、自動録画コンテンツの関連コンテンツ一覧画面に表示されることになる。これにより、ユーザは、時間経過に応じて適切なコンテンツの情報を閲覧することができる。
【０１２０】
次に、番組表及び関連コンテンツ一覧画面間の画面遷移について説明する。図２１は、番組表及び関連コンテンツ一覧画面間の画面遷移を示した図である。図２１に示すように、表示制御部１０６は、番組表２１０１から移動した場合、現在放送中及び放送予定のコンテンツ（番組）の関連コンテンツ一覧画面２１０２を表示する。また、過去番組表２１０３から移動した場合、放送済みコンテンツ（番組）の関連コンテンツ一覧画面２１０４を表示する。さらに、ＰＶＲコンテンツ一覧２１０５から移動した場合、ＰＶＲコンテンツの関連コンテンツ一覧画面２１０６を表示する。このように、関連コンテンツ一覧画面を表示するための操作を受け付けた場合、表示制御部１０６は、移動前の画面と同一カテゴリの関連コンテンツ一覧画面を表示する。
【０１２１】
そして、現在放送中及び放送予定の番組の関連コンテンツ一覧画面２１０２と、放送済み番組の関連コンテンツ一覧画面２１０４と、ＰＶＲコンテンツの関連コンテンツ一覧画面２１０６との間の画面遷移については図２０と同様の遷移が行われる。そして、各関連コンテンツ一覧画面で、操作受付部１０１が、コンテンツの選択を受け付けた場合に、当該コンテンツの視聴、保存又は予約録画などが行われる。各コンテンツに応じて実際の行われる処理は、図１９で示した選択項目と同様として説明を省略する。
【０１２２】
図１に戻り、履歴情報記憶部１４０は、関連コンテンツ一覧画面でキーコンテンツとして使用されたコンテンツのメタデータと、選択された（検索に利用された）キーコンテンツの順序と、を記憶する。図２２は、履歴情報記憶部１４０のテーブル構造を示した図である。図２２に示すように、履歴情報記憶部１４０は、順序と、番組説明と、放送局名と、放送日時と、放送時刻と、表示情報として用いられるサムネイル画像のファイル名と、を対応付けて記憶している。順序は、関連コンテンツ一覧画面でキーコンテンツとして選択された順序とする。番組説明は、当該番組を表すコンテンツのメタデータを含んでいる。
【０１２３】
そして、選択受付部１０５がコンテンツをキーコンテンツとする選択を受け付けた場合に、当該コンテンツに関するメタデータと順序が、メタデータ取得部１０３の処理により履歴情報記憶部１４０に追加される。本実施の形態にかかる履歴情報記憶部１４０では、電子番組情報記憶部１５０からメタデータや録画番組記憶部からコンテンツが削除された場合であっても、対応するメタデータを削除することなく保持することとする。これにより、一度キーコンテンツとして利用したコンテンツのメタデータが保持されるため、検索時の利便性及び操作性が向上する。
【０１２４】
また、履歴情報記憶部１４０は、フラッシュＲＯＭなどの不揮発性記憶媒体上に設けられ、デジタルテレビジョン表示装置１００の電源停止、及び再起動が行われた場合でも、前回使用されたキーコンテンツのメタデータを記憶する。これにより、デジタルテレビジョン表示装置１００の再起動時に、前回起動時したときに使用された履歴情報に基づく操作を行うことができる。
【０１２５】
次に、履歴情報記憶部１４０を使用した操作について説明する。まず、図１６に示す関連コンテンツ一覧画面が表示されているものとする。当該画面では、キーコンテンツ１６０５に基づいて関連する他のコンテンツの表示情報が表示されている。そして、ユーザがキーコンテンツ１６０５の前に選択したキーコンテンツに基づいた関連コンテンツ一覧画面を表示したいと考えた場合に、「履歴戻る」１６０２に対応する赤ボタン２１１ｂを押下すればよい。
【０１２６】
そして、赤ボタン２１１ｂの押下により、操作受付部１０１が、履歴の操作を受け付けた場合に、メタデータ取得部１０３が、履歴情報記憶部１４０から、現在表示されているキーコンテンツの一つ前のキーコンテンツのメタデータと、電子番組情報記憶部１５０から、現在表示しているカテゴリに属するコンテンツのメタデータと、を取得する。その後、関連度算出部１０４が、前回のキーコンテンツと、取得したその他のコンテンツとの関連度を算出する。その後、表示制御部１０６が、前回のキーコンテンツの表示情報を中心に、その他のコンテンツを関連度に基づいて配置した、関連コンテンツ一覧画面を表示する。
【０１２７】
その際に行われる関連コンテンツ一覧画面が切り替えられるまでの画面遷移は、図２０に示した態様と同様とする。すなわち、中心のキーコンテンツの表示が切り替えられた後、今まで表示されていた他のコンテンツの表示情報を消した後、表示領域外から遷移してきた他のコンテンツの表示情報が、キーコンテンツの表示情報の周囲に再配置されることで、関連コンテンツ一覧画面が切り替えられる。
【０１２８】
このように、「履歴戻る」１６０２に対応する赤ボタン２１１ｂが押下される度に、一つ前の表示されたキーコンテンツに基づく関連コンテンツ一覧画面を表示する。また、過去に使用したキーコンテンツに基づく関連コンテンツ一覧画面が表示されている際に、「履歴進む」１６０１に対応する青ボタン２１１ａが押下されと、「順序」が一つ後のキーコンテンツに基づく関連コンテンツ一覧画面を表示する。なお、その際の処理は上述した一つ前に表示されたキーコンテンツに基づく関連コンテンツ一覧画面を表示する際の処理と同様とする。履歴に従ってキーコンテンツを切り替えられるか否かは、キーコンテンツと共に表示されているアイコンで確認できる。
【０１２９】
図２３は、関連コンテンツ一覧画面を表示する際に、キーコンテンツと共に表示されるアイコンの遷移を示した図である。関連コンテンツ一覧画面のキーコンテンツに、図２３の（ａ）で示されたアイコン２３０１が表示されている場合、「履歴戻る」に対応する赤ボタン２１１ｂを押下すると、前回利用したキーコンテンツに基づく関連コンテンツ一覧画面が表示できることを示している。
【０１３０】
つまり、当該アイコン２３０１は、表示されたキーコンテンツから、さらに一つ前の利用されたキーコンテンツを履歴情報記憶部１４０から選択することが可能か否かを示す操作可能表示情報となる。
【０１３１】
そして、図２３の（ｂ）は、前回利用したキーコンテンツに基づく関連コンテンツ一覧画面で、キーコンテンツと共に表示されるアイコンを示している。この図２３の（ｂ）においても、図２３の（ａ）と同様にアイコン２３０１が表示されるとともに、新たにアイコン２３０２が表示される。当該アイコン２３０２は、「履歴進む」に対応する青ボタン２１１ａを押下すると、現在表示されているキーコンテンツの次に利用したキーコンテンツに基づく関連コンテンツ一覧画面が表示できることを示している。
【０１３２】
さらに、「履歴戻る」に対応する赤ボタン２１１ｂを押下すると、表示制御部１０６は、キーコンテンツと共に表示されるアイコンとして、図２３の（ｃ）に示すように、アイコン２３０３とアイコン２３０２とを表示する。
【０１３３】
アイコン２３０３は、これ以上「履歴戻る」に対応する赤ボタン２１１ｂを押下しても、関連コンテンツ一覧画面を切り替えられないことを示している。つまり、アイコン２３０３は、表示されているキーコンテンツより一つ前の検索に使用されたキーコンテンツが履歴情報記憶部１４０から選択できない場合に表示されるアイコンであって、当該アイコン２３０３は、換言すれば、当該選択できないことを示す操作不可表示情報といえる。
【０１３４】
図２３に示すように、キーコンテンツと共に表示されるアイコンにより、操作履歴に基づく操作が可能か否かユーザが確認することができる。これにより、ユーザに対する利便性が向上する。
【０１３５】
図２４は、操作履歴に基づく関連コンテンツ一覧画面の画面遷移を示した図である。図２４に示すように、関連コンテンツ一覧画面において、操作受付部１０１が、コンテンツの選択を受け付ける（選択２４０１〜２４０４）度に、選択されたコンテンツをキーコンテンツとした上で、表示制御部１０６が、関連コンテンツ一覧画面を表示する。この選択されたキーコンテンツは、メタデータ取得部１０３の処理により、履歴情報記憶部１４０に順序とメタデータとが格納される。そして、操作受付部１０１が、履歴を戻す操作を受け付ける（戻る２４０５〜戻る２４０７）度に、今まで使用されていたキーコンテンツに基づく関連コンテンツ一覧画面が表示される。ただし、関連コンテンツ一覧画面を表示する度に、メタデータ取得部１０３が他のコンテンツのメタデータの取得を行うので、録画番組記憶部１６０及び電子番組情報記憶部１５０の内容が更新されている場合には、以前表示されていたコンテンツとは異なるコンテンツが当該一覧画面で表示される。
【０１３６】
そして、関連コンテンツ一覧画面で履歴を戻す操作を行った後、操作受付部１０１が、他のコンテンツをキーコンテンツとする選択を受け付けた（選択２４０８）場合、表示制御部１０６が、当該キーコンテンツのメタデータに基づいて関連コンテンツ一覧画面を表示する。これ以降、履歴を戻す操作は可能であるが、履歴を進ませる操作を行わせることはできない。そして、操作受付部１０１は、コンテンツを選択する操作を受け付ける（選択２４０９〜２４１０）毎に、当該コンテンツをキーコンテンツとした関連コンテンツ一覧画面が、表示制御部１０６により表示される。
【０１３７】
なお、カテゴリの切替操作が行われた後でも、履歴情報記憶部１４０に記憶されたキーコンテンツに基づいて関連コンテンツ一覧画面を表示することができる。図２５は、カテゴリ切替と操作履歴とに基づく関連コンテンツ一覧画面の画面遷移を示した図である。
【０１３８】
図２５に示すように、関連コンテンツ一覧画面において、操作受付部１０１が、コンテンツの選択を受け付ける（選択２５０１〜２５０４）度に、選択されたコンテンツをキーコンテンツとした上で、表示制御部が、関連コンテンツ一覧画面を表示する。この選択されたキーコンテンツは、履歴情報記憶部１４０に順序とメタデータとが格納される。これにより、操作受付部１０１が、履歴を戻す操作を受け付ける（戻る２５０５）と、その後は、履歴情報記憶部１４０に格納されたキーコンテンツのメタデータに基づいて、関連コンテンツ一覧画面が、表示制御部１０６により表示される。
【０１３９】
このような履歴操作がなされた後であっても、操作受付部１０１、カテゴリの切替操作を受け付ける（カテゴリ切替２５０６）ことができる。当該切替操作を受け付けた場合、カテゴリ切替前の表示されていたキーコンテンツに基づいて、表示制御部１０６が、関連コンテンツ一覧画面２５５１を表示する。
【０１４０】
カテゴリを切り替えた場合でも、履歴情報記憶部１４０に記憶されたキーコンテンツに関する情報は保持される。そして、履歴操作を受け付ける度（進む２５０７、２５０９、及び戻る２５０８、２５１０）に、今まで使用されていたキーコンテンツに基づいて、表示制御部１０６が関連コンテンツ一覧画面を表示する。これにより、カテゴリを切り替えた後の関連コンテンツ一覧画面では、キーコンテンツはカテゴリ切替前のものであり、当該キーコンテンツの周囲に表示情報が配置されるその他のコンテンツは、カテゴリ切替後のものとなる。このように、履歴操作が行われた場合でも、カテゴリが異なるキーコンテンツのメタデータに基づいて、関連コンテンツ一覧画面を表示できる。
【０１４１】
また、本実施の形態にかかるデジタルテレビジョン表示装置１００では、履歴情報記憶部１４０を用いた操作として、履歴を戻る、履歴を進む以外の操作も可能とする。例えば、図１６に示す関連コンテンツ一覧画面から、「履歴一覧」１６０４に対応する黄ボタン２１１ｄが押下された場合に、操作受付部１０１が、履歴一覧を参照するための操作を受け付けたものとして、キーコンテンツ履歴一覧情報を表示する。図２６は、表示制御部１０６が表示するキーコンテンツ履歴一覧情報の例を示す図である。図２６に示すように、操作受付部１０１が、履歴一覧を参照するための操作を受け付けた場合に、メタデータ取得部１０３が、履歴情報記憶部１４０に格納されたキーコンテンツのメタデータを全て読み出した後、表示情報生成部１０５が、読み出したキーコンテンツのメタデータに基づく履歴一覧情報を生成し、表示制御部１０６が、生成した履歴一覧情報を表示する。
【０１４２】
図２６に示す履歴一覧情報は、各キーコンテンツのタイトルとサムネイル画像とを表示した例であるが、さらにメタデータに含まれる情報を表示しても良い。また、本実施の形態では、履歴情報記憶部１４０に格納されたキーコンテンツ全てを履歴一覧情報として表示するが、最も新しいキーコンテンツから所定の数だけ履歴一覧情報として表示しても良い。
【０１４３】
さらに、図２６に示す履歴一覧情報から、操作受付部１０１が、各キーコンテンツの選択を受け付けた場合、表示制御部１０６が、当該キーコンテンツに基づく関連コンテンツ一覧画面を表示する。このように、本実施の形態にかかるデジタルテレビジョン表示装置１００では、履歴情報記憶部１４０に記憶されたキーコンテンツに基づいた関連コンテンツ一覧画面を、様々な操作手法により表示することができる。
【０１４４】
次に、以上のように構成されたデジタルテレビジョン表示装置１００における番組表の表示から、関連コンテンツ一覧画面の表示までの処理手順について説明する。図２７は、デジタルテレビジョン表示装置１００による、番組表の表示から、関連コンテンツ一覧画面の表示までの処理手順の流れを示すフローチャートである。
【０１４５】
まず、表示制御部１０６が、操作受付部１０１が受け付けた操作に従って、番組表の表示を行う（ステップＳ２７０１）。そして、操作受付部１０１が、リモコン９０による操作に従って、番組表に表示された番組（コンテンツ）にフォーカスを当てる（ステップＳ２７０２）。このフォーカスが当てられていたコンテンツが、キーコンテンツとなる。
【０１４６】
その後、操作受付部１０１が、番組検索に対応する緑ボタン２１１ｃが押下を受け付けた場合に、表示制御部１０６が、図８に示す、検索ナビ８０１ａと、関連番組一覧８０１ｂとの選択画面を表示する（ステップＳ２７０３）。そして、操作受付部１０１が、関連番組一覧８０１ｂの選択を受け付けたものとする（ステップＳ２７０４）。
【０１４７】
その後、メタデータ取得部１０３が、表示するカテゴリに含まれる全てのコンテンツのメタデータを取得する（ステップＳ２７０５）。例えば、ステップＳ２７０１で表示していた番組表が、現在放送中のコンテンツ及び放送予定のコンテンツの番組表の場合、現在放送中のコンテンツおよび放送予定のコンテンツを取得する。他の例としては、ステップＳ２７０１で表示していた番組表が過去番組表の場合、自動録画コンテンツを取得する。
【０１４８】
そして、メタデータ検索部１０２が、取得したコンテンツのメタデータから、キーコンテンツのメタデータを検索する（ステップＳ２７０６）。
【０１４９】
そして、関連度算出部１０４が、メタデータ検索部１０２から送出されたキーコンテンツのメタデータと他のコンテンツのメタデータとに基づいて、キーコンテンツに対する他のコンテンツ各々の関連度を、項目ごとに算出し、項目ごとの関連度の線形和に重み付けをして関連度を算出する（ステップＳ２７０７）。
【０１５０】
そして、表示制御部１０６は、項目毎のキーコンテンツと他のコンテンツ各々との関連度に応じて、キーコンテンツおよび他のコンテンツの表示情報を配置した関連コンテンツ一覧情報を生成し（ステップＳ２７０８）、生成した関連コンテンツ一覧情報を表示部１７０に表示する（ステップＳ２７０９）。
【０１５１】
さらに、操作受付部１０１が、黄ボタン２１１ｃの押下により、カテゴリ切替の操作を受け付けたか否か判定する（ステップＳ２７１０）。
【０１５２】
そして、操作受付部１０１が、カテゴリ切替の操作を受け付けたと判定した場合（ステップＳ２７１０：Ｙｅｓ）、メタデータ取得部１０３が、切替後のカテゴリに含まれる全てのコンテンツのメタデータを取得する（ステップＳ２７１１）。ただし、キーコンテンツは、切替前と同様のキーコンテンツとする。このため、メタデータ検索部１０２は、切替前のキーコンテンツのメタデータを保持するものとする。なお、カテゴリの切り替え手順は、上述した通りとする。
【０１５３】
そして、関連度算出部１０４が、切替前のキーコンテンツのメタデータと、新たに取得してきた他のコンテンツのメタデータとに基づいて、キーコンテンツに対する他のコンテンツ各々の関連度を、項目ごとに算出し、項目ごとの関連度の線形和に重み付けをして関連度を算出する（ステップＳ２７１２）。
【０１５４】
そして、表示制御部１０６は、項目毎のキーコンテンツと、任意のカテゴリに含まれている他のコンテンツ各々との関連度に応じて、キーコンテンツおよび他のコンテンツの表示情報を配置した関連コンテンツ一覧情報を生成し（ステップＳ２７１３）、生成した任意のカテゴリ関連コンテンツ一覧情報を表示部１７０に表示する（ステップＳ２７１４）。
【０１５５】
そして、操作受付部１０１が、カテゴリ切替の操作を受け付けなかった場合（ステップＳ２７１０：Ｎｏ）又はステップＳ２７１４まで処理が終了した場合、操作受付部１０１が、視聴、録画などを行うコンテンツの選択を受け付けたか否か判定する（ステップＳ２７１５）。受け付けなかったと判定した場合（ステップＳ２７１５：Ｎｏ）、ステップＳ２７１０から処理を再び開始する。
【０１５６】
一方、操作受付部１０１が、視聴、録画などを行う番組（コンテンツ）の選択を受け付けた場合（ステップＳ２７１５：Ｙｅｓ）、デジタルテレビジョン表示装置１００は、選択された番組（コンテンツ）に対する視聴、録画処理を行う（ステップＳ２７１６）。
【０１５７】
上述した処理手順により、関連コンテンツ一覧画面において、カテゴリが切り替えられた場合についても、切替前のキーコンテンツに基づいた関連コンテンツ一覧画面を表示することができる。このように、キーコンテンツの履歴と、カテゴリの切替とを分けたことで、履歴で保持された各キーコンテンツを検索キーとして、各カテゴリの関連コンテンツ一覧画面を表示できるため、ユーザが所望するコンテンツを検索するための操作負担を軽減できる。
【０１５８】
本実施の形態にかかるデジタルテレビジョン表示装置１００で参照可能なコンテンツを上述したコンテンツに制限するものではなく、例えば、ＤＶＤ（Digital  Versatile  Disk）の映像や、ビデオカメラで撮像した映像等をコンテンツとしてもよい。また、本実施の形態では、カテゴリとして、放送中及び放送予定のコンテンツ、自動録画コンテンツ、及びＰＶＲコンテンツに分類したが、このようなカテゴリの分類に制限するものではなく、様々な基準に従ってコンテンツを分類してよい。
【０１５９】
上述のようにすることで、本実施の形態のデジタルテレビジョン表示装置１００は、カテゴリを切り替えた場合に、各カテゴリで、キーコンテンツと関連性のあるコンテンツが表示されるため、ユーザが所望するコンテンツを容易に特定できるという効果を奏する。
【０１６０】
また、カテゴリの切替が行われる毎に、新たに取得したメタデータに基づいて関連度が算出されるため、時間経過に従って適切なコンテンツの取得を項目の選択切り替え操作に応じて、当該項目に対応する領域には変更後の項目の関連度が高いコンテンツが表示されるため、コンテンツの入れ替わりを即時確認することが可能となり、検索結果の変化を一目で確認できるという効果を奏する。
【０１６１】
また、カテゴリの分類手法としては、上述したような現在放送中、放送済み、及びＰＶＲ等の分類に制限するものではなく、他の分類手法を用いても良い。他の分類手法としては、例えば、コンテンツの再生時間などを用いても良い。
【０１６２】
本実施の形態にかかるデジタルテレビジョン表示装置１００では、リモコン９０のカラーボタンなどの汎用的なボタンでカテゴリを切り替えできるため、ユーザに対して容易な操作を提供できる。これにより、操作手順を減らしユーザに対する負担を軽減できることに加えて、検索対象を絞りながらの検索が容易になる。
【０１６３】
本実施の形態にかかるデジタルテレビジョン表示装置１００では、現在放送中のコンテンツと、放送予定のコンテンツと、ＰＶＲコンテンツと、自動録画コンテンツとのそれぞれに対して、統一された方法で検索することが可能になる。
【０１６４】
本実施の形態にかかるデジタルテレビジョン表示装置１００では、すべてのリモコンに共通する、汎用的なボタンでカテゴリを切り替えられるので、操作がわかりやすく、すばやい切り替えが可能となる。
【０１６５】
また、上述のように、本実施の形態のデジタルテレビジョン表示装置１００は、操作機器の操作方向であってキーコンテンツに近接する位置に項目を配置することにより、キーコンテンツから各項目へ簡単にカーソルを移動することが可能となるため、各項目を変更する際の操作を容易に行うことができる。また、項目の選択切替とコンテンツ間のカーソル移動を、十字キーの操作だけで単純に行うことができるため、検索に係る操作が簡易になる。
【０１６６】
本実施の形態のデジタルテレビジョン表示装置１００は、カテゴリ切替で、同一キーコンテンツに基づいた各カテゴリの関連コンテンツ一覧画面を表示できる。これによりユーザがカテゴリを横断的に参照できるので、コンテンツが膨大であっても所望するコンテンツの特定が容易になる。また、カテゴリ切替にリモコン９０の一つのボタンを割り当てることでカテゴリ切替が容易になる。そして、カテゴリ毎にコンテンツが提示することで、表示対象となるコンテンツの数が制限されるため、リモコン９０によるコンテンツの選択操作が容易になる。
【０１６７】
また、本実施の形態のデジタルテレビジョン表示装置１００は、関連コンテンツ一覧画面を表示し、当該画面に含まれるコンテンツをキーコンテンツとして、関連コンテンツを検索していくことができる。その際に、履歴情報記憶部１４０に記憶された各キーコンテンツのメタデータにより、キーコンテンツの履歴による再検索が可能なので、操作性が向上する。
【０１６８】
また、上述した各実施の形態に限定されるものではなく、以下に例示するような種々の変形が可能である。
【０１６９】
（変形例１）
上述した第１の実施の形態にかかるデジタルテレビジョン表示装置１００では、カテゴリが切り替えられた場合であってもキーコンテンツが引き継がれる例について説明した。しかしながら、切替受付部１１２がカテゴリの切り替えを受け付けた場合に、表示制御部１０６がカテゴリに応じてキーコンテンツが切り替え表示を行ってもよい。この場合、カテゴリ毎に初期値となるキーコンテンツを用意しておく必要がある。例えば、現在放送中及び放送予定のコンテンツが属するカテゴリでは現在放送中のコンテンツをキーコンテンツとし、自動録画コンテンツが属するカテゴリやＰＶＲコンテンツが属するコンテンツでは再生頻度が高いコンテンツをキーコンテンツとする等が考えられる。
【０１７０】
本実施の形態及び変形例のデジタルテレビジョン表示装置で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【０１７１】
また、本実施の形態のデジタルテレビジョン表示装置で実行されるプログラムを、インターネット等のネットワークに接続されたコンピュータ上に格納し、ネットワーク経由でダウンロードさせることにより提供するように構成しても良い。また、本実施の形態のデジタルテレビジョン表示装置で実行されるプログラムをインターネット等のネットワーク経由で提供または配布するように構成しても良い。
【０１７２】
また、本実施の形態のデジタルテレビジョン表示装置を、ＲＯＭ等に予め組み込んで提供するように構成してもよい。本実施の形態のデジタルテレビジョン表示装置で実行される表示処理プログラムは、上述した各部（操作受付部、メタデータ検索部、メタデータ取得部、関連度算出部、表示情報生成部、表示制御部、映像再生部、放送受信部）を含むモジュール構成となっており、実際のハードウェアとしてはＣＰＵ（プロセッサ）が上記記憶媒体から表示処理プログラムを読み出して実行することにより上記各部が主記憶装置上にロードされ、操作受付部、メタデータ検索部、メタデータ取得部、関連度算出部、表示情報生成部、表示制御部、映像再生部、放送受信部が主記憶装置上に生成されるようになっている。
【０１７３】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１７４】
９０  リモートコントローラ
１００  デジタルテレビジョン表示装置
１０１  操作受付部
１０２  メタデータ検索部
１０３  メタデータ取得部
１０４  関連度算出部
１０５  表示情報生成部
１０６  表示制御部
１０７  映像再生部
１０８  放送受信部
１４０  履歴情報記憶部
１５０  電子番組情報記憶部
１６０  録画番組記憶部
１６１  外部録画番組記憶部
１７０  表示部
１８０  接続Ｉ／Ｆ
１９０  通信部
１９５  デジタルテレビジョン表示装置
【図１】
0005487247.tif 000003
【図２】
0005487247.tif 000004
【図３】
0005487247.tif 000005
【図４】
0005487247.tif 000006
【図５】
0005487247.tif 000007
【図６】
0005487247.tif 000008
【図７】
0005487247.tif 000009
【図８】
0005487247.tif 000010
【図９−１】
0005487247.tif 000011
【図９−２】
0005487247.tif 000012
【図１０−１】
0005487247.tif 000013
【図１０−２】
0005487247.tif 000014
【図１１】
0005487247.tif 000015
【図１２】
0005487247.tif 000016
【図１３】
0005487247.tif 000017
【図１４】
0005487247.tif 000018
【図１５】
0005487247.tif 000019
【図１６】
0005487247.tif 000020
【図１７】
0005487247.tif 000021
【図１８】
0005487247.tif 000022
【図１９】
0005487247.tif 000023
【図２０】
0005487247.tif 000024
【図２１】
0005487247.tif 000025
【図２２】
0005487247.tif 000026
【図２３】
0005487247.tif 000027
【図２４】
0005487247.tif 000028
【図２５】
0005487247.tif 000029
【図２６】
0005487247.tif 000030
【図２７】
0005487247.tif 000031